(57)【要約】【課題】リフレクタが大きくならない、導光板２への十分な入射光量を確保した液晶表示装置を提供する。【解決手段】液晶セル２と、前記液晶セル２の背面側に配置された導光板９と、前記導光板９の１つの側面９ａに共に対向して、前記導光板９の厚み方向に離れて配置された第１線状光源１３および第２線状光源１４と、前記第１線状光源１３および前記第２線状光源１４を覆うリフレクタ１１とを備え、前記第１線状光源１３の径と前記第２線状光源１４の径は異なる。【選択図】図３
2007240824.tif 000002
【特許請求の範囲】
【請求項１】
液晶セルと、前記液晶セルの背面側に配置された導光板と、前記導光板の１つの側面に共
に対向して、前記導光板の厚み方向に離れて配置された第１線状光源および第２線状光源
と、前記第１線状光源および前記第２線状光源を覆うリフレクタとを備え、前記第１線状
光源の径と前記第２線状光源の径は異なる事を特徴とする液晶表示装置。
【請求項２】
前記第１線状光源は前記液晶セルの近くに位置し、前記第２線状光源は前記液晶セルの遠
くに位置し、前記第１線状光源の径は、前記第２線状光源の径よりも小さく設けられた事
を特徴とする請求項１の液晶表示装置。
【請求項３】
前記第１線状光源の中心から前記導光板の１つの側面までを第１距離とし、前記第２線状
光源の中心から前記導光板の１つの側面までを第２距離とし、前記第１距離は前記第２距
離以下に設けられた事を特徴とする請求項２の液晶表示装置。
【請求項４】
前記第１線状光源は前記液晶セルの近くに位置し、前記第２線状光源は前記液晶セルの遠
くに位置し、前記第１線状光源の径は、前記第２線状光源の径よりも大きく設けられた事
を特徴とする請求項１の液晶表示装置。
【請求項５】
前記第１線状光源の中心から前記導光板の１つの側面までを第１距離とし、前記第２線状
光源の中心から前記導光板の１つの側面までを第２距離とし、前記第２距離は前記第１距
離以下に設けられた事を特徴とする請求項４の液晶表示装置。
【発明の詳細な説明】
【技術分野】
【０００１】
本発明は液晶表示装置に関する。
【背景技術】
【０００２】
従来、この種の装置は例えば特許文献１に示されている。特許文献１において、液晶セ
ルＬＣＤと、その背面に位置する導光板２が設けられている。導光板２の１つの側面に対
向して、導光板２の厚み方向に離れて配置された第１線状光源５と、第２線状光源５が設
けられている。第１線状光源５とおよび第２線状光源５を覆うリフレクタ６が設けられて
いる。
【特許文献１】特開２００３−１０７４６８号公報
【発明の開示】
【発明が解決しようとする課題】
【０００３】
上記装置において、第１線状光源５と第２線状光源５は同一の大きな径を有する。その
結果、２つの光源５，５が占めるスペースが大きく、リフレクタ６が大きくなり、装置が
厚くなる、第１の欠点がある。
【０００４】
この欠点を解消するために、第１線状光源５の径および第２線状光源５の径を共に小さ
くすると、２つの光源５，５が持つ熱を互いに与え、各光源５，５の輝度が低下する。そ
の結果、導光板２への入射光量が減る、第２の欠点がある。そこで、本発明は、この様な
従来の欠点を考慮し、リフレクタが大きくならない、導光板２への十分な入射光量を確保
した液晶表示装置を提供する。
【課題を解決するための手段】
【０００５】
上記課題を解決するために、請求項１の本発明では、液晶セルと、前記液晶セルの背面
側に配置された導光板と、前記導光板の１つの側面に共に対向して、前記導光板の厚み方
向に離れて配置された第１線状光源および第２線状光源と、前記第１線状光源および前記
第２線状光源を覆うリフレクタとを備え、前記第１線状光源の径と前記第２線状光源の径
は異なる。
【０００６】
請求項２の本発明では、前記第１線状光源は前記液晶セルの近くに位置し、前記第２線
状光源は前記液晶セルの遠くに位置し、前記第１線状光源の径は、前記第２線状光源の径
よりも小さく設けられた。
【０００７】
請求項３の本発明では、前記第１線状光源の中心から前記導光板の１つの側面までを第
１距離とし、前記第２線状光源の中心から前記導光板の１つの側面までを第２距離とし、
前記第１距離は前記第２距離以下に設けられた。
【０００８】
請求項４の本発明では、前記第１線状光源は前記液晶セルの近くに位置し、前記第２線
状光源は前記液晶セルの遠くに位置し、前記第１線状光源の径は、前記第２線状光源の径
よりも大きく設けられた。
【０００９】
請求項５の本発明では、前記第１線状光源の中心から前記導光板の１つの側面までを第
１距離とし、前記第２線状光源の中心から前記導光板の１つの側面までを第２距離とし、
前記第２距離は前記第１距離以下に設けられた。
【発明の効果】
【００１０】
請求項１の様に、第１線状光源の径と第２線状光源の径は異なる様に設けるので、この
２つの線状光源の占めるスペースは、従来に比べ、小さくなる。その結果、２つの線状光
源を覆うリフレクタも小さくなるので、装置も薄型となる。
【００１１】
導光板の特性により、下方側の側面から、高輝度の光が入射し、上方側の側面から、低
輝度の光が入射するのが、液晶セルに対し、均一の輝度を与えるものがある。請求項２の
様に、第１線状光源は液晶セルの近くに位置し、第２線状光源は液晶セルの遠くに位置し
、第１線状光源の径は、第２線状光源の径よりも小さく設けられた。この構成により、液
晶セルに対し、均一の輝度が与えられる。
【００１２】
請求項３の様に、請求項２の構成に加えて、第１線状光源の中心から導光板の１つの側
面までを第１距離とし、第２線状光源の中心から導光板の１つの側面までを第２距離とし
第１距離は第２距離以下に設けられた。この様に構成することにより、両線状光源からの
光は、効率よく、導光板に与えられるので、導光板２への十分な入射光量を確保できる。
【００１３】
導光板の特性により、下方側の側面から、低輝度の光が入射し、上方側の側面から、高
輝度の光が入射するのが、液晶セルに対し、均一の輝度を与えるものがある。請求項４の
様に、第１線状光源は液晶セルの近くに位置し、第２線状光源は液晶セルの遠くに位置し
、第１線状光源の径は、第２線状光源の径よりも大きく設けられた。この構成により、液
晶セルに対し、均一の輝度が与えられる。
【００１４】
請求項５の様に、請求項４の構成に加えて、第１線状光源の中心から導光板の１つの側
面までを第１距離とし、第２線状光源の中心から導光板の１つの側面までを第２距離とし
第２距離は第１距離以下に設けられた。この様に構成することにより、両線状光源からの
光は、効率よく、導光板に与えられるので、導光板２への十分な入射光量を確保できる。
【発明を実施するための最良の形態】
【００１５】
以下に、本発明を実施するための最良の形態を、実施例及び図面を用いて詳細に説明す
る。以下の実施例は、本発明の技術思想を具体化するための液晶表示装置の一例を例示す
るものである。本発明は、特許請求の範囲に示した技術思想を逸脱することなく、種々の
変更を行ったものにも、均しく適用し得る。
【実施例１】
【００１６】
図１は、本発明の実施例に係る液晶表示装置１の分解斜視図である。図２は液晶表示装
置１（組み立て品）の正面図である。図３，４，５，６は各々、図２のＡ−Ａ断面図、Ｂ
−Ｂ断面図、Ｃ−Ｃ断面図、Ｄ−Ｄ断面図である。
【００１７】
これらの図において、液晶表示装置１は液晶セル２と、照明手段３と、これらの液晶セ
ル２および照明手段３を支持する枠体４等とを有している。
【００１８】
液晶セル２は、一対のガラス基板５，６を、これらの基板５，６の外周縁の近傍に沿っ
て塗布されたシール材（図示せず）により、一体に貼り合わせ、その内部に液晶を封入さ
れたものである。
【００１９】
更に、一方のガラス基板６上の複数の端子（図示せず）に、駆動用ＩＣ（図示せず）が
実装された複数のＴＣＰ（Ｔａｐｅ  Ｃａｒｒｉｅｒ  Ｐａｃｋａｇｅ）７が取り付けら
れている。そして、ＴＣＰ７のいくつかの他端は、制御基板（図示せず）に接続されてい
る（図５参照）。
【００２０】
照明手段３は、液晶セル２の背面側（表示面と反対側のこと）に配置され、かつ、導光
板９と、反射板１０と、リフレクタ１１と、ホルダ１２，１２Ａと、第１線状光源１３，
第２線状光源１４と、補強板１５と、緩衝体１６等からなる（図３参照）。
【００２１】
導光板９は例えばアクリル樹脂からなり、平面から見れば、長方形である。導光板９は
断面して見れば、導光板９の側面９ａが厚く（図３参照）、導光板９の他の側面９ｂが薄
く（図４参照）なる様に、形成されている。導光板９は、楔状に形成されている。即ち、
導光板９の上面は水平に形成され、底面は傾斜して形成されている。
【００２２】
反射板１０は反射材料からなり、導光板９の底面に当接して配置されている。反射板１
０の左端は、導光板９の側面９ａよりも左側に少し、突出して配置されている（図３を参
照）。反射板１０の右端は、導光板９の他の側面９ｂよりも左側に少し、ずれた位置にあ
る（図４参照）。
【００２３】
リフレクタ１１は例えばアルミニュウム等からなり、断面して見れば、実施的に逆コ字
状に形成されている。リフレクタ１１は平面から見れば（図１参照）、細長い形状をして
いる。
【００２４】
リフレクタ１１は、上面１１ａと、側面１１ｂと、底面１１ｃを有している。リフレク
タ１１は左端近傍と、右端近傍の２ケ所において、切欠部１１ｄ，１１ｅが形成されてい
る（図１を参照）。切欠部１１ｄ，１１ｅは共に、上面１１ａの１部と、底面１１ｃの１
部を切り欠いた部分である。
【００２５】
ホルダ１２は例えばシリコンゴム等からなり、断面して見れば、第１線状光源１３，第
２線状光源１４用の孔が形成され、外形は長円部１２ａが形成されている（図３参照）。
【００２６】
ホルダ１２において、長円部１２ａにつながって出口部（図示せず）が形成されている
。出口部は、略角筒状に形成され、内部通路が、第１線状光源１３用の孔および第２線状
光源１４用の孔とつながっている。ホルダ１２内に、リード線１７，１８が配置されてい
る。ホルダ１２Ａはホルダ１２に対し、面対称に形成されている（図１参照）。
【００２７】
この様に、一方の切欠部１１ｄは、ホルダ１２に近傍した位置にて形成されている。他
方の切欠部１１ｅは、ホルダ１２Ａに近傍した位置にて形成されている。
【００２８】
第１線状光源１３と、第２線状光源１４は共に、冷陰極管等からなるものである。第１
線状光源１３の左端は、ホルダ１２の孔に挿入、固定されている。右端はホルダ１２Ａの
孔に挿入、固定されている。
【００２９】
第２線状光源１４の左端は、ホルダ１２の孔に挿入、固定されている。右端は、ホルダ
１２Ａの孔に挿入、固定されている。
【００３０】
リード線１８の右端近傍は、被膜が外された導線が、半田等により、第１線状光源１３
の左の電極に接続されている。リード線１７の右端近傍は、被膜が外された導線が、半田
等により第２線状光源１４の左の電極に接続されている。
【００３１】
リード線１９の右端近傍は、被膜が外された導線が、半田等により、第１線状光源１３
の右の電極に接続されている。リード線２０の右端近傍は、被膜が外された導線が、半田
等により第２線状光源１４の右の電極に接続されている（図３参照）。
【００３２】
リード線１８の左端およびリード線１９の左端はコネクタ２２に接続されている。リー
ド線１７の左端およびリード線２０の左端はコネクタ２３に接続されている。
【００３３】
この様に、第１線状光源１３，第２線状光源１４が導光板９の側面９ａに対向すべく、
リフレクタ１１は、ホルダ１２，１２Ａに支持された第１線状光源１３および第２線状光
源１４を覆い、かつ、導光板９および反射板１０の各端部近傍を覆う様に、設けられてい
る。
【００３４】
補強板１５，１５Ａは共に金属板からなり、断面して見れば、共に実質的にコ字状に形
成されている（図１、図３参照）。
【００３５】
補強板１５はホルダ１２を覆う様に、切欠部１１ｄ内に収納されている。補強板１５Ａ
はホルダ１２Ａを覆う様に、切欠部１１ｅ内に収納されている。
【００３６】
底板２４は例えば金属板等からなり、断面して見れば（図３参照）、実質的に逆Ｌ字状
に形成されている。底板２４は平面から見れば（図１参照）、細長い形状をしている。
【００３７】
底板２４は、上面２４ａと、側面２４ｂと、底面２４ｃを有している。底板２４の側面
２４ｂは、リフレクタ１１の側面１１ｂに当接して配置されている。
【００３８】
補強板１５は、底板２４に形成された側面２４ｂの内面と、切欠部１１ｄの内面との間
に各々、当接または近接（例えば、隙間が０．１〜０．３ｍｍ）して配置されている。
【００３９】
補強板１５Ａは、底板２４に形成された側面２４ｂの内面と、切欠部１１ｅの内面との
間に各々、当接または近接（例えば、隙間が０．１〜０．３ｍｍ）して配置されている。
【００４０】
緩衝体１６，１６Ａは例えば、ＰＥＴ樹脂の様に、比較的に硬質の弾性体からなり、裏
面に接着材が設けられている。緩衝体１６，１６Ａの幅（導光板９の側面９ａの長手方向
の長さ）は約４ｍｍである。
【００４１】
上述した様に、補強板１５は、導光板９の側面９ａと、ホルダ１２との間に配置されて
いる。補強板１５Ａは導光板９の側面９ａと、ホルダ１２Ａとの間に配置されている。
【００４２】
緩衝体１６は、補強板１５の側面に固定され、導光板９の側面９ａに当接、または近接
（例えば、隙間が０．１〜０．３ｍｍ）して配置されている。緩衝体１６Ａは、補強板１
５Ａの側面に固定され、導光板９の側面９ａに当接、または近接（例えば、隙間が０．１
〜０．３ｍｍ）して配置されている。
【００４３】
これらの導光板９と、反射板１０と、リフレクタ１１と、ホルダ１２，１２Ａと、第１
線状光源１３と、第２線状光源１４と、補強板１５，１５Ａと、緩衝体１６，１６Ａと、
リード線１７，１８，１９，２０と、コネクタ２２，２３と、底板２４等により、照明手
段３は構成されている。
【００４４】
枠体４は、リフレクタ１１を覆う突出部２５が形成されている。リフレクタ１１の外面
と、突出部２５の内面とに各々、接着された粘着材２６が設けられている（図３参照）。
【００４５】
導光板９の上に、第１光学シート、例えば、プリズムシート２７が配置されている。第
１光学シート２７の上方には、第２光学シート、例えば、拡散シート２８が配置されてい
る。リフレクタ１１の底面１１ｃの底面に、放熱板２９が配置されている（図３参照）。
なお、リフレクタ１１に形成された底面１１ｃの長さ（図３において、左右方向に延びる
長さ）は、約１０ｍｍである。
【００４６】
枠体４は例えばプラスチックからなり、額縁状に形成され、中央に開口部３０が形成さ
れている。枠体４の３辺において、上下方向に延びる側部３１ｂ（図４参照）と、側部３
１ｃ（図５参照）と、側部３１ｄ（図６参照）が形成されている。
【００４７】
枠体４の３辺において、各々、側部３１ｂ，３１ｃ，３１ｄにつながり、開口部３０の
周辺に位置する下載置部３２ｂ，３２ｃ，３２ｄが形成されている。
【００４８】
支持体３３は、断面が略クランク状に形成され（図４参照）、平面から見れば（図１を
参照）、細長い形状をしている。支持体３３の下部に形成された鉤部が、枠体４に形成さ
れた側部３１ｂの鉤部に係合されている（図４参照）。
【００４９】
枠体４の辺において、枠体４の上部に、載置部３４ａが形成されている（図３参照）。
支持体３３の上部に、載置部３４ｂが形成されている（図４参照）。枠体４の上部に、第
２載置部３４ｃが形成されている（図５を参照）。枠体４の上部に、第１載置部３４ｄが
形成されている（図６を参照）。
【００５０】
前面枠３５は例えば金属板等からなり、中央に開口部３６が形成され、額縁状に形成さ
れている。
【００５１】
前面枠３５の内面は、枠体４の上面３７ａに当接し、前面枠３５の側面は、底板２４の
側面２４ｂに当接し、固定されている（図３参照）。
【００５２】
前面枠３５の内面は、枠体４の上面３７ｂに当接している（図４参照）。
【００５３】
前面枠３５の内面および側面は、液晶セル２および枠体４などを覆っている（図５を参
照）。
【００５４】
前面枠３５の内面は、枠体４の上面３７ｄに当接し、前面枠３５の側面は、枠体４の側
面３７ｅに当接し、固定されている（図６参照）。
【００５５】
放熱板２９は例えばアルミニュウム等からなり、底部と、３つの折曲部とからなる。放
熱板２９は、枠体４に形成された下載置部３２ｂ，３２ｃ，３２ｄ上に配置されている（
図４、図５、図６を参照）。
【００５６】
反射板１０は、放熱板２９の底部上に配置されている。導光板９は、反射板１０上に配
置されている。この様にして、放熱板２９は開口部３０を介して、露出されている（図１
参照）。
【００５７】
導光板９において、第１線状光源１３と、第２線状光源１４に対向する側面９ａと反対
側に位置する、他の側面９ｂ近傍の背面と、放熱板２９の表面とに各々接着された粘着材
３８が設けられている（図４参照）。
【００５８】
第１光学シート２７は、導光板９上に配置されている。第１光学シート２７の右端近傍
は、第１粘着材３９を介して、枠体４に形成された第１載置部３４ｄ上に固定されている
。第１スペーサ４０は、第１粘着層４０ａを介して、第１光学シート２７の右端近傍の上
に固定されている（図６参照）。
【００５９】
第２光学シート２８は、第１光学シート２７上に配置されている。第２光学シート２８
の左端近傍は、第２粘着材４１を介して、枠体４に形成された第２載置部３４ｃ上に固定
されている。第２スペーサ４２は、第２粘着層４２ａを介して、第２光学シート２８の左
端近傍の上に固定されている（図５参照）。
【００６０】
液晶セル２のＡ−Ａ側は、枠体４の載置部３４ａ上に載置され（図３参照）、液晶セル
２のＢ−Ｂ側は、支持体３３の載置部３４ｂ上に載置されている（図４参照）。
【００６１】
液晶セル２のＣ−Ｃ側は、第２スペーサ４２上に載置され（図５参照）、液晶セル２の
Ｄ−Ｄ側は、第１スペーサ４０上に載置されている（図６参照）。以上の部品により、液
晶表示装置１は構成されている。
【００６２】
次に、図１〜図６に従い、以下に、本実施例１の第１特徴を述べる。液晶セル２と、液
晶セル２の背面側に配置された導光板９が設けられている。導光板９の１つの側面９ａに
共に対向して、導光板９の厚み方向に離れて配置された第１線状光源１３および第２線状
光源１４が設けられている。
【００６３】
第１線状光源１３および第２線状光源１４を覆うリフレクタ１１が設けられている。第
１線状光源１３の径と、第２線状光源１４の径は異なる様に、設けられている。
【００６４】
次に、本実施例１の第２特徴を述べる。第１線状光源１３は液晶セル２の近くに位置し
第２線状光源１４液晶セル２の遠くに位置し、第１線状光源１３の径は、第２線状光源１
４の径よりも小さく設けられている。
【００６５】
そして、本実施例１の第３特徴を述べる。第１線状光源１３の中心から導光板９の１つ
の側面９ａまでを第１距離とする。第２線状光源１４の中心から導光板９の１つの側面９
ａまでを第２距離とする。前記第１距離は前記第２距離と等しく、設けられている（図３
参照）。
【実施例２】
【００６６】
次に、図７に従い、本発明の第２実施例に係る液晶表示装置１Ａを説明する。図７は、
液晶表示装置１Ａの要部断面図である。
【００６７】
そして、本実施例２の第１特徴を述べる。第１線状光源１３Ａは液晶セル２の近くに位
置し、第２線状光源１４Ａは液晶セル２の遠くに位置している。第１線状光源１３Ａの径
は、第２線状光源１４Ａの径よりも小さく設けられている。
【００６８】
次に、本実施例２の第２特徴を述べる。第１線状光源１３Ａの中心から導光板９の１つ
の側面９ａまでを第１距離とする。第２線状光源１４Ａの中心から導光板９の１つの側面
９ａまでを第２距離とする。第１距離は、第２距離よりも小さく、設けられている。
【００６９】
これらの導光板９と、反射板１０と、リフレクタ１１と、ホルダ１２１，１２Ａ１（図
示せず）と、第１線状光源１３Ａと、第２線状光源１４Ａと、補強板１５，１５Ａと、緩
衝体１６，１６Ａと、リード線１７，１８，１９，２０と、コネクタ２２，２３と、底板
２４等により、照明手段３Ａは構成されている。
【実施例３】
【００７０】
次に、図８に従い、本発明の第３実施例に係る液晶表示装置１Ｂを説明する。図８は、
液晶表示装置１Ｂの要部断面図である。
【００７１】
そして、本実施例３の第１特徴を述べる。第１線状光源１３Ｂは液晶セル２の近くに位
置し、第２線状光源１４Ｂは液晶セル２の遠くに位置する。第１線状光源１３Ｂの径は、
第２線状光源１４Ｂの径よりも大きく設けられている。
【００７２】
次に、本実施例３の第２特徴を述べる。第１線状光源１３Ｂの中心から導光板９の１つ
の側面９ａまでを第１距離とし、第２線状光源１４Ｂの中心から導光板９の１つの側面９
ａまでを第２距離とする。第２距離は、第１距離と同一に設けられている（図８参照）。
【００７３】
これらの導光板９と、反射板１０と、リフレクタ１１と、ホルダ１２２，１２Ａ２（図
示せず）と、第１線状光源１３Ａと、第２線状光源１４Ａと、補強板１５，１５Ａと、緩
衝体１６，１６Ａと、リード線１７，１８，１９，２０と、コネクタ２２，２３と、底板
２４等により、照明手段３Ｂは構成されている。
【００７４】
なお、本実施例３の応用例として、上記第２距離は、上記第１距離よりも、小さく設け
られても良い。
【図面の簡単な説明】
【００７５】
【図１】本発明の実施例１に係る液晶表示装置１の分解斜視図である。
【図２】液晶表示装置１（組み立て品）の正面図である。
【図３】図２のＡ−Ａ断面図である。
【図４】図２のＢ−Ｂ断面図である。
【図５】図２のＣ−Ｃ断面図である。
【図６】図２のＤ−Ｄ断面図である。
【図７】本発明の実施例２に係る液晶表示装置１Ａの要部断面図である。
【図８】本発明の実施例３に係る液晶表示装置１Ｂの要部断面図である。
【符号の説明】
【００７６】
２  液晶セル
４  枠体
９  導光板
１１  リフレクタ
１２  ホルダ
１３  第１線状光源
１４  第２線状光源
【図１】
2007240824.tif 000003
【図２】
2007240824.tif 000004
【図３】
2007240824.tif 000005
【図４】
2007240824.tif 000006
【図５】
2007240824.tif 000007
【図６】
2007240824.tif 000008
【図７】
2007240824.tif 000009
【図８】
2007240824.tif 000010